(57)【要約】      （修正有）【課題】センターフードの構成において、化粧幕板と側面用化粧幕板の隙間を均一にする。【解決手段】本体２の側面にコの字型の化粧幕板取付用金具を設け、化粧幕板取付用金具に取り付ける側面用化粧幕板１１の取付部材に隙間調整機構部を設けた構成にしたことにより、センターフードの構成において、化粧幕板７と側面用化粧幕板１１の隙間を均一にすることができるレンジフードを得られる。【選択図】図５
2015064144.tif 000002
【特許請求の範囲】
【請求項１】
調理機器の上方に設置され、下面に吸込口を設けたフード部と、前記フード部の上方の中央に吹出口を設けた本体と、前記本体の内部に調理時に発生する水蒸気や油煙を室外に排出する送風機を設けたものであって、前記本体の側面にコの字型の化粧幕板取付用金具を設け、前記化粧幕板取付用金具に取り付ける隙間調整機構部を有する取付部材を設けた側面用化粧幕板を前記本体に取り付け、前記側面用化粧幕板に化粧幕板を取り付けることを特徴とするレンジフード。
【発明の詳細な説明】
【技術分野】
【０００１】
本発明は、調理機器の上方に設置され、調理時に発生する油煙を捕集して屋外に排気するレンジフードで、吊り固定されることにより設置されるセンターフードに取付けられる幕板に関するものである。
【背景技術】
【０００２】
従来、この種のレンジフードは、センターフードの構成において、鋼板の幕板を本体に固定する構成とされたものが知られている（例えば、特許文献１参照）。
【０００３】
以下、そのレンジフードについて図１０を参照しながら説明する。
【０００４】
図１０に示すセンターフードは、フード部１０１と排気ファン１０３を内設する本体１０２からなり、本体１０２の下部の吸込み口から吸引した油煙を排気ファン１０３より排気ダクト１０４を介して室外へ排気するように構成し、鋼板の幕板１０５を備えることにより本体１０２および排気ダクト１０４が目隠しされる構成となっている。
【先行技術文献】
【特許文献】
【０００５】
【特許文献１】特開２００７−２３２２６１号公報
【発明の概要】
【発明が解決しようとする課題】
【０００６】
このような従来のレンジフードにおいては、センターフードの構成において、本体の前面と背面と側面に化粧幕板を取り付ける時、取り付け作業のばらつきおよび構成部品のばらつきにより、化粧幕板と側面用化粧幕板の隙間が不均一になる、という課題があった。
【０００７】
そこで本発明は、上記従来の課題を解決するものであり、センターフードの構成において、化粧幕板と側面用化粧幕板の隙間を均一に調整することができるレンジフードを提供することを目的とする。
【課題を解決するための手段】
【０００８】
この目的を達成するために、本発明は、調理機器の上方に設置され、下面に吸込口を設けたフード部と、前記フード部の上方の中央に吹出口を設けた本体と、前記本体の内部に調理時に発生する水蒸気や油煙を室外に排出する送風機を設けたものであって、前記本体の側面にコの字型の化粧幕板取付用金具を設け、前記化粧幕板取付用金具に取り付ける隙間調整機構部を有する取付部材を設けた側面用化粧幕板を前記本体に取り付け、前記側面用化粧幕板に化粧幕板を取り付けることとしたものであり、これにより所期の目的を達成するものである。
【発明の効果】
【０００９】
本発明によれば、調理機器の上方に設置され、下面に吸込口を設けたフード部と、前記フード部の上方の中央に吹出口を設けた本体と、前記本体の内部に調理時に発生する水蒸気や油煙を室外に排出する送風機を設けたものであって、前記本体の側面にコの字型の化粧幕板取付用金具を設け、前記化粧幕板取付用金具に取り付ける隙間調整機構部を有する取付部材を設けた側面用化粧幕板を前記本体に取り付け、前記側面用化粧幕板に化粧幕板を取り付けるという構成にしたことにより、センターフードの構成において、前記側面用幕板の前記取付用金具の前記隙間調整機構部で前記化粧幕板と前記側面用化粧幕板の不均一な隙間を調整することとなるので、化粧幕板と側面用化粧幕板の隙間を均一にすることができる、という効果を得ることができる。
【図面の簡単な説明】
【００１０】
【図１】本発明の実施の形態１におけるレンジフードの側面構成図
【図２】同レンジフードの正面図
【図３】同レンジフードの施工状態および化粧幕板取付用金具の取付状態を示す正面図
【図４】同レンジフードの側面用化粧幕板の取付状態を示す斜視図
【図５】同レンジフードの化粧幕板の取付状態を示す斜視図
【図６】同レンジフードの化粧幕板と側面用化粧幕板の隙間が不均一である取付状態を示す側面図
【図７】同レンジフードの化粧幕板と側面用化粧幕板の隙間が不均一である取付状態を示す側面図
【図８】同レンジフードの化粧幕板を取り外した取付状態を示す正面詳細図
【図９】本発明の実施の形態２のレンジフードの壁面の取付状態を示す正面図
【図１０】従来のレンジフードを示す縦断側面図
【発明を実施するための形態】
【００１１】
本発明の請求項１記載のレンジフードは、調理機器の上方に設置され、下面に吸込口を設けたフード部と、前記フード部の上方の中央に吹出口を設けた本体と、前記本体の内部に調理時に発生する水蒸気や油煙を室外に排出する送風機を設けたものであって、前記本体の側面にコの字型の化粧幕板取付用金具を設け、前記化粧幕板取付用金具に取り付ける隙間調整機構部を有する取付部材を設けた側面用化粧幕板を前記本体に取り付け、前記側面用化粧幕板に化粧幕板を取り付けるという構成を有する。これにより、センターフードの構成において、前記側面用幕板の前記取付用金具の前記隙間調整機構部で前記化粧幕板と前記側面用化粧幕板の不均一な隙間を調整することとなるので、化粧幕板と側面用化粧幕板の隙間を均一にすることができる、という効果を奏する。
【００１２】
以下、本発明の実施の形態について図面を参照しながら説明する。
【００１３】
（実施の形態１）
図１、２に示すように、調理機器の上方に設置され、下面に整流板１７を設け、整流板１７とフード部１（後述）との間に吸込口１６を設けた方形状のフード部１と、フード部１の上方の略中央に吹出口１８を設けた本体２と、本体２の内部に調理時に発生する水蒸気や油煙を室外に排出するファン３（シロッコファン）を設け、吹出口１８に接続したダクト４を介して室外に排気される構成とし、天井１９裏に固定した吊りボルト５を本体２の天面に取り付けた本体固定金具６にナット２０により上下に本体固定金具６を挟んで固定し、本体２およびダクト４を目隠しするための化粧幕板７を本体２に取り付ける。
【００１４】
図３に示すように、本体固定金具６に本体固定金具６およびダクト４を覆う鋼板製のダクトカバー８を取り付け、ダクトカバー８を天井１９の下面にネジで固定することにより、天井１９の下面と化粧幕板７の隙間を目隠しさせる。
【００１５】
同じく、図３に示すように、本体２の側面上方にコの字型の化粧幕板取付用金具９をネジで本体２と固定し、図４に示すように、化粧幕板取付用金具９に固定する隙間調整機構部１３を有する取付部材１０を設けた側面用化粧幕板１１を化粧幕板取付用金具９に合わせて取付部材１０の固定部１２にネジで固定する。
【００１６】
次に、図５に示すように、２枚の板状の側面用化粧幕板１１に化粧幕板７を前面および背面に取り付け、ネジで固定する。
【００１７】
その後、図６に示すように、化粧幕板７と側面用化粧幕板１１との隙間がフード部１側と天井１９側とで不均一であるときは、図８に示すように、側面用化粧幕板１１に取り付けた前面および背面の化粧幕板７を取り外し、隙間が広い側の取付部材１０の固定部１２のネジを回して取り外さない程度に緩め、フード部１側と天井１９側における化粧幕板７と側面用化粧幕板１１の隙間が広い側の前面または背面の隙間調整機構部１３にネジを回し取り付ける。
【００１８】
そして、隙間調整機構部１３にネジを締め込むことで、本体２の側面上方に取り付けられた化粧幕板取付用金具９をネジで押すため、ネジを回す回数に応じて側面用化粧幕板１１を前後に動かしてフード部１側および天井１９側における化粧幕板７と側面用化粧幕板１１との隙間を狭めることができる。
【００１９】
また、図７に示すように、化粧幕板７と側面用化粧幕板１１との隙間が前面側と背面側とで不均一であるときは、同じく図８に示すように、側面用化粧幕板１１に取り付けた前面および背面の化粧幕板７を取り外し、隙間が広い側の取付部材１０の固定部１２のネジを回して取り外さない程度に緩め、前面側と背面側における化粧幕板７と側面用化粧幕板１１の隙間が広い側の上下２箇所の隙間調整機構部１３にネジを回し取り付ける。
【００２０】
そして、隙間調整機構部１３にネジを締め込むことで、本体２の側面上方に取り付けられた化粧幕板取付用金具９をネジで押すため、ネジを回す回数に応じて側面用化粧幕板１１を前後に動かして前面側および背面側における化粧幕板７と側面用化粧幕板１１との隙間を狭めることができる。
【００２１】
その後、上記で取り外さない程度に緩めたネジを固定部１２に締め込み、再び２枚の板状の側面用化粧幕板１１に化粧幕板７を前面および背面にネジで取り付ける。
【００２２】
これにより、センターフードという構成において、化粧幕板７と側面用化粧幕板１１との隙間を均一に調整し見栄えをよくすることができるという効果を奏する。
【００２３】
（実施の形態２）
実施の形態１と同じ構成については同じ符号を付し詳細な記載は省略する。
【００２４】
図９に示すように、本体２の片側の面を壁２１面にネジで固定する構成にしてもよい。
【００２５】
すなわち、本体２の壁２１面側には化粧幕板取付用スペーサー１４を壁２１面に例えばネジにて固定され、壁面固定用金具１５を本体２にネジで固定する。
【００２６】
そして、側面用化粧幕板１１を実施の形態１と同様に本体２にネジにて取り付け、化粧幕板取付用スペーサー１４と側面用化粧幕板１１に化粧幕板７を前面および背面に実施形態１で記載したネジで固定をする。
【００２７】
これにより、本体２の片側の面を壁２１面に固定する構成において、化粧幕板７と側面用化粧幕板１１の隙間を均一に調整し見栄えをよくすることができるという効果を奏する。
【産業上の利用可能性】
【００２８】
本発明にかかるレンジフードは、前面および背面の化粧幕板と側面用化粧幕板の隙間を均一にすることを可能とするものであるので、化粧幕板を取り付けるレンジフード等として有用である。
【符号の説明】
【００２９】
１    フード部
２    本体
３    ファン
４    ダクト
５    吊りボルト
６    本体固定金具
７    化粧幕板
８    ダクトカバー
９    化粧幕板取付用金具
１０  取付部材
１１  側面用化粧幕板
１２  固定部
１３  隙間調整機構部
１４  化粧幕板取付用スペーサー
１５  壁面固定用金具
１６  吸込口
１７  整流板
１８  吹出口
１９  天井
２０  ナット
２１  壁
【図１】
2015064144.tif 000003
【図２】
2015064144.tif 000004
【図３】
2015064144.tif 000005
【図４】
2015064144.tif 000006
【図５】
2015064144.tif 000007
【図６】
2015064144.tif 000008
【図７】
2015064144.tif 000009
【図８】
2015064144.tif 000010
【図９】
2015064144.tif 000011
【図１０】
2015064144.tif 000012